(57)【要約】【課題】電気電子機器収納用キャビネット等の扉に使用される開錠操作スペースの小さい扉係止装置を提供する。【解決手段】キャビネット筺体１を閉じる扉２の側壁面２ａに孔部３を形成するとともに、該孔部３を回動自在な引掛けレバー６を設けたカバー部材７で塞いだ扉係止装置であって、前記引掛けレバー６の回転軸を扉の内側に位置させて、カバー部材７を回転することにより前記引掛けレバー６を回動させ、該引掛けレバー６の先端に設けたフック部６ａをキャビネット筺体に設けた受け部９との係止を解きロック状態を解除する構造とした。【選択図】図１
2008121208.tif 000002
【特許請求の範囲】
【請求項１】
キャビネット筺体を閉じる扉の側壁面に孔部を形成するとともに、該孔部を回動自在な引掛けレバーを設けたカバー部材で塞いだ扉係止装置であって、前記引掛けレバーの回転軸を扉の内側に位置させて、カバー部材を回転することにより前記引掛けレバーを回動させ、該引掛けレバーの先端に設けたフック部をキャビネット筺体に設けた受け部との係止を解きロック状態を解除する構造としたことを特徴とする電気電子機器収納用キャビネットの扉係止装置。
【請求項２】
カバー部材に、カバー部材の回転を防止する南京錠を取り付け可能としたことを特徴とする請求項１に記載の電気電子機器収納用キャビネットの扉係止装置。
【発明の詳細な説明】
【技術分野】
【０００１】
本発明は、電気電子機器収納用キャビネット等の扉に使用される開錠操作スペースの小さい扉係止装置に関するものである。
【背景技術】
【０００２】
従来からこの種の扉係止装置としては、例えば特許文献１に示されるように、軸受板部と側板部を折曲形成したキャビネット筐体と該引掛けレバーを軸支した構造の扉係止装置が知られている。
【０００３】
しかしながら、従来のものはロック状態にある扉係止装置の開錠は、該引掛けレバーを回転させることで係止関係を解除する構造であり、またこの引掛けレバーの回転軸はキャビネット筐体の外側に取り付けられているのが普通である。このため、開錠に際し指先をレバーに引っ掛けて回動する分、指先挿入用の比較的広いスペースが必要であった。また、少なくとも前記レバーの回転距離分を確保するためのスペースも必要であった。この結果、他のキャビネットや柱や壁等が近接している場所には接近させて設置することができないという問題点があった。
【特許文献１】実開平４−２８７１号公報
【発明の開示】
【発明が解決しようとする課題】
【０００４】
本発明は上記のような問題点を解決して、開錠操作スペースを極力小さくすることが可能で、他のキャビネットや柱や壁等が近接している場所にも十分に接近させて設置することができるキャビネット筺体の扉係止装置を提供することを目的として完成されたものである。
【課題を解決するための手段】
【０００５】
上記課題を解決するためになされた本発明の装置は、キャビネット筺体を閉じる扉の壁面に孔部を形成するとともに、該孔部を回動自在な引掛けレバーを設けたカバー部材で塞いだ扉係止装置であって、前記引掛けレバーの回転軸を扉の内側に位置させて、カバー部材を回転することにより前記引掛けレバーを回動させ、該引掛けレバーの先端に設けたフック部をキャビネット筺体に設けた受け部との係止を解きロック状態を解除する構造としたことを特徴とするものである。
また、カバー部材の回転を防止する南京錠を取り付け可能な構造とすることもできる。
【発明の効果】
【０００６】
本発明の電気電子機器収納用キャビネットの扉係止装置は、従来のように引掛けレバーの回転軸がキャビネット筐体の外側でなく、キャビネット筐体の内側に取り付けられているため、カバー部材の少ない移動操作でロック解除を行うことができることとなり、狭いスペースで開錠操作を行うことが可能となる。
また、カバー部材に、カバー部材の回転を防止する南京錠を取り付け可能とした場合には、セキュリティをより高めることができる。
【発明を実施するための最良の形態】
【０００７】
以下に、図面を参照しつつ本発明の好ましい実施の形態を示す。
本発明の代表的なパターンは３つあり、以下にそれぞれについて説明する。
図１〜図６は、第１のパターンを示すものであり、図１はその全体を示す分解斜視図、図２は図１を裏面側から見た分解斜視図、図３はカバー部材の取り付け状態を示す斜視図、図４は図３を裏面側から見た斜視図である。図において、２は電気電子機器収納用のキャビネット筺体１を閉じる扉である。図示のものではこの扉２は、一端をキャビネット筺体１にヒンジ結合されており、この扉２のヒンジ結合していない方の他端側の側壁面２ａには孔部３が形成されていて、この孔部３の周囲には回動自在な引掛けレバー６を一体に設けたカバー部材７が取り付けられる。
【０００８】
そして、前記引掛けレバー６の回転軸は扉２の内側に位置されており、カバー部材７を回転することにより前記引掛けレバー６を回動させ、該引掛けレバー６の先端に設けたフック部６ａをキャビネット筺体内に設けた受け部との係止を解きロック状態を解除する構造となっている。
【０００９】
図１〜図４を参照して、このカバー部材７の構造について説明すると、５は固定部材であり、６はカバー部材７の裏面側に一体的に設けられた引掛けレバーである。固定部材５には軸受け部４、４が先端を内部に向けて突設されており、この軸受け部４、４に先端をＬ字状に突出させたフック部６ａを有する引掛けレバー６がピン８により軸支されて、固定部材５に対して引掛けレバー６が回動自在となるよう構成されている。
なお、前記固定部材５は、引掛けレバー６が前記扉２の孔部３を通して軸受け部４、４が内部側へ飛び出すようにキャビネット筺体１の外側から挿入した後、側壁面２ａにねじ止め等により取り付けることができる。
また前記孔部３内には、レバーの回転軸とレバーの先端に設けたフック部６ａが一緒に入った構造となっている。なお、孔部３の下方部には桟３ａが残っているため、扉２の板材が薄い時や、扉の曲げ厚さが薄くなった時にも曲げに対して強い構造となっている。
【００１０】
以下に、前記した扉係止装置のロック解除について詳細に説明する。
図５はロック状態を示す要部の断面図、図６はロックの解除状態を示す要部の断面図である。ロック状態の時は、カバー部材７は下方側へ下がった位置にあり、引掛けレバー６は、フック部６ａを前方側へ突出した状態に、図示しないコイルばねやトーションバー等により付勢されている。この結果、フック部６ａの先端部が箱本体１に設けた受け部９に係止してしっかりとロック状態を保持している。
一方、ロック解除する時は、カバー部材７を上方向へ回転することで、引掛けレバー６はピン８を中心に時計方向に回動する。この結果、フック部６ａが前記孔部３を通して揺動し、受け部９との係止を解く方向に移動することで、ロックが解除されることとなる。
このように、本発明では前記引掛けレバー６の回転軸を扉２の内側に位置させたので、回転軸が扉の外側にある場合の扉とカバー部材端部の距離に比べ、回転軸が内側に位置する分、扉とカバー部材端部の距離が短くなり、カバー部材端部が描く円弧が小さくなる。
しかも回転操作は上方側へ僅かに引き上げるような感じであり、より簡単に開錠できることとなる。この結果、従来のようにラッチを回転させるスペースが不要であり、狭いスペースで開錠操作を簡単に行うことが可能となる。
【００１１】
図７〜図１０は、第２のパターンを示すものであり、図７は要部の分解斜視図、図８は図７を裏面側から見た分解斜視図、図９はロック状態を示す要部の断面図、図１０はロックの解除状態を示す要部の断面図である。
この場合は、側壁面２ａに孔部３が形成されており、更に、この孔部３の下方部には桟３ａを残して切り欠き部３ｂが形成されている。また、この孔部３の周囲には第１のパターンと同様の回動自在な引掛けレバー６を一体に設けたカバー部材７が取り付けてある。
そして、第２のパターンでは、引掛けレバー６のフック部６ａが前記切り欠き部３ｂに位置するように装着されている。これにより、回転軸とフック部６ａの距離が離れるので、カバー部材７の回転操作がよりスムーズに行われることとなる。また、回転軸の位置を下げることができるので、カバー部材７の回転操作はより上方向への力をかけるだけでよくなり、カバー部材７の回転操作をよりスムーズに行えることとなる。
また、第２のパターンでは、カバー部材７の上方片部を徐々に湾曲した緩やかな円弧状として、開錠動作中に上方片部が扉表面にかぶさるようにしてあるので、カバー部材７の厚みを薄くすることができる。
【００１２】
図１１〜図１４は、第３のパターンを示すものであり、図１１はカバー部材７の斜視図、図１２は図１１を裏面側から見た分解斜視図、図１３はロック状態を示す要部の断面図、図１４はロックの解除状態を示す要部の断面図である。
この場合は、回転軸を扉の表面よりも大きく下げた位置に設けるとともに、カバー部材７の上方片部を短くして扉表面にかぶさらないようにしてある。このため、開錠動作中に上方片部が扉表面を傷つけることがなく、またカバー部材７の厚みを更に薄くすることができる。
なお、説明を省略したが、第２、第３のパターンの施錠操作および開錠操作は第１のパターンと同じである。
【００１３】
この他に、カバー部材７に、南京錠挿入用の孔１１を形成し、一方、固定部材５の対応する位置にも南京錠挿入用の孔を形成しておき、南京錠で施錠するようにすれば、セキュリティをより高めることができる。
【００１４】
以上の説明からも明らかなように、本発明は前記引掛けレバーの回転軸を扉の内側に位置させて、カバー部材を回転することにより前記引掛けレバーを回動させ、該引掛けレバーの先端に設けたフック部をキャビネット筺体に設けた受け部との係止を解きロック状態を解除する構造としたとしたので、カバーを僅かに回転する操作だけでロック解除を行うことができることとなり、狭いスペースで開錠操作を行うことが可能となる。
【図面の簡単な説明】
【００１５】
【図１】本発明の実施の形態を示す分解斜視図である。
【図２】図１を裏面側から見た分解斜視図である。
【図３】カバー部材を扉の側壁面に取り付けた状態を示す斜視図である。
【図４】図３を裏面側から見た斜視図である。
【図５】ロック状態を示す要部の断面図である。
【図６】ロック解除状態を示す要部の断面図である。
【図７】その他の実施の形態を示す要部の分解斜視図である。
【図８】図７を裏面側から見た分解斜視図である。
【図９】その他の実施のロック状態を示す要部の断面図である。
【図１０】その他の実施のロック解除状態を示す要部の断面図である。
【図１１】その他の実施の形態を示す要部の斜視図である
【図１２】図１１を裏面側から見た斜視図である。
【図１３】その他の実施のロック状態を示す要部の断面図である。
【図１４】その他の実施のロック解除状態を示す要部の断面図である。
【符号の説明】
【００１６】
１  キャビネット筺体
２  扉
２ａ  側壁面
３  孔部
３ａ  切り欠き部
４  軸受け部
５  固定部材
６  引掛けレバー
６ａ  フック部
７  カバー部材
８  ピン
９  受け部
１１  南京錠挿入用の孔
【図１】
2008121208.tif 000003
【図２】
2008121208.tif 000004
【図３】
2008121208.tif 000005
【図４】
2008121208.tif 000006
【図５】
2008121208.tif 000007
【図６】
2008121208.tif 000008
【図７】
2008121208.tif 000009
【図８】
2008121208.tif 000010
【図９】
2008121208.tif 000011
【図１０】
2008121208.tif 000012
【図１１】
2008121208.tif 000013
【図１２】
2008121208.tif 000014
【図１３】
2008121208.tif 000015
【図１４】
2008121208.tif 000016